(57)【要約】【課題】  多彩なアングルから利用者を撮影した場合であっても、撮影される写真画像の背景部分を一様に表示させ、利用者に対して背景画像の一体感を与えることを実現する。【解決手段】  写真撮影プリント装置１は、背景カーテン３０と、この背景カーテン３０ともに撮影空間３を形成する他の面と、様々なアングルから利用者を撮影可能なＣＣＤカメラ１２とを備え、このＣＣＤカメラ１２によって撮影した写真を印刷する。ここで、写真撮影プリント装置１では、天井部３１における、撮影空間３を向いた表面領域には、反射鏡３２が形成されている。また、他の面としての床部３３における、撮影空間３を向いた表面領域には、下から順に、反射鏡３４、視野角調整板３６および床補強板３８が形成されている。反射鏡３２および反射鏡３４は、光の反射によって、背景カーテン３０をその表面に写し出す。これにより、特殊な画像処理を何ら行うことなく、撮影された写真画像において、背景カーテン３０の画像、天井部３１画像、および床部３３の画像が、一体感を有した一様な背景画像として表示される。【選択図】  図１
2006003652.tif 000002
【特許請求の範囲】
【請求項１】
背景面と、この背景面と共に撮影空間を形成する少なくとも１つの他の面と、上記撮影空間において様々なアングルから利用者を撮影可能な撮影装置とを備え、この撮影装置によって撮影した写真を印刷する写真撮影プリント装置において、
上記他の面の、上記撮影空間を向いた表面領域における、少なくとも上記撮影装置によって撮影可能な範囲が、鏡または光沢のある素材によって形成されていることを特徴とする写真撮影プリント装置。
【請求項２】
上記他の面の、上記撮影空間を向いた全表面領域が、上記鏡または光沢のある素材によって形成されていることを特徴とする請求項１に記載の写真撮影プリント装置。
【請求項３】
上記他の面の、上記鏡または光沢のある素材が形成されている部分には、さらに、利用者の写り込みを防止する加工が施されていることを特徴とする請求項１に記載の写真撮影プリント装置。
【請求項４】
上記他の面としての床面における、少なくとも利用者の足場となる部分には、さらに透明かつ耐衝撃特性を有する部材が形成されていることを特徴とする請求項１に記載の写真撮影プリント装置。
【請求項５】
上記背景面における上記撮影空間を向いた表面領域は、単一色に着色されていることを特徴とする請求項１に記載の写真撮影プリント装置。
【発明の詳細な説明】
【技術分野】
【０００１】
本発明は、利用者の写真撮影を行うとともに、その写真を背景画像や落書き画像などと合成した上でシール紙として出力する写真撮影プリント装置に関する。
【背景技術】
【０００２】
従来の写真撮影プリント装置として、硬貨投入後に利用者が主に多人数で、筐体内に設置された撮影装置によって利用者自身を撮影し、記録された画像を液晶パネル上で付属のペン等を用いて所定または任意の文字や図形等を書き込んで編集を行い、個性的な画像を作成してシール紙に分割印刷する遊技を提供するものが良く知られている。
【０００３】
写真撮影プリント装置の設置場所としては、主にアミューズメントパークやゲームセンター等が挙げられる。このような設置場所には、通常、写真撮影プリント装置を含めた各種多数のゲーム機が設置される。このため、個々の装置は、なるべく小さな筐体を有することが求められる。
【０００４】
写真撮影プリント装置は、ゲーム機の中では比較的大きな筐体を有するが、利用者が撮影空間内に入って利用する利用形態を提供することを鑑みると、実際には小さな筐体を有すると言える。したがって、狭い撮影空間内においても、最大限にその空間を活用する方法が必要になる。
【０００５】
そのような状況において、個性的なシール紙を作るために、カーテン等を使用して鮮やかに背景を演出できる装置もある。
【０００６】
多くの写真撮影プリント装置では、固定タイプのカメラが１つ搭載されているものが多いが、中にはカメラをいろんな場所に複数個設置したり、１つのカメラでも上下に稼働させたりして、多彩なアングルでカメラ撮影ができるものもある。
【０００７】
特許文献１には、被写体を俯瞰撮影する第１のカメラと、被写体を略目の高さから撮影する第２のカメラと、被写体を仰視する第３のカメラとを備えた写真自販機が開示されている。そして、特許文献１によれば、この装置では、変化に富んだカメラアングルでの撮影を可能とするとともに、被写体が自らの姿を確認しながら撮影することができる。
【０００８】
特許文献２には、撮像空間で周景の一部を構成可能な変動体と、該変動体を撮像処理に際して変動可能な変動誘発手段とを備えた写真シール自動作成装置が開示されている。そして、特許文献２によれば、この装置では、動的で変化に富む周景を演出可能にし、撮像に対するアミューズメント性を高め、利用者の満足度を向上させることができる。
【０００９】
特許文献３には、被写体に向けて撮影アングルを自在に変え得る手持ち型カメラを備えた写真印刷装置が開示されている。そして、特許文献３によれば、この装置では、撮影アングルを自由に決めて独創的な写真画像を撮ることができる。
【００１０】
特許文献４には、被写体の立ち位置後方に位置し、撮影手段に向けて多数の点から光を発する点状発光手段と、前記点状発光手段からの光を透過させつつ前記撮影手段へと導き、前記写真画像に光の模様を写り込ませるフィルタ手段と、を有する写真印刷装置が開示されている。そして、特許文献４によれば、この装置では、写真画像内の背景部分を自然に感じさせることができる。
【００１１】
このように、写真撮影プリント装置において出来上がったシールは、主に友人や知人と交換され、手帳に貼り付けてアルバムのようにしたり、ポストカードに貼り付けたりして利用される。
【特許文献１】特開２００１−２９６６００（公開日：平成１３年（２００１年）１０月２６日）
【特許文献２】特開２００４−０１３０７０（公開日：平成１６年（２００４年）１月１５日）
【特許文献３】特開２００３−２５６９３１（公開日：平成１４年（２００２年）３月５日）
【特許文献４】特開２００３−１０７５７５（公開日：平成１５年（２００３年）４月９日
【発明の開示】
【発明が解決しようとする課題】
【００１２】
しかし、上述した従来の技術は、利用者に対して、撮影した写真画像の背景部分に違和感を与えるという問題点を有する。
【００１３】
特許文献１に記載の写真自販機では、例えば第１のカメラで被写体を撮影した場合、撮影された写真画像には、背景画像として背景と床面とが同時に含まれ、一体感を損なう画像が含まれるため、利用者に違和感を与えてしまい、顧客満足度を低下させるという問題が生ずる。
【００１４】
特許文献２に記載の写真シール自動作成装置では、撮影された写真画像において、背景を一様なものとすることはできないという問題が生ずる。
【００１５】
特許文献３に記載の写真印刷装置では、撮影アングルによっては、撮影される写真画像に、背景部分に加えて天井部分や床部分が同時に写ってしまい、これらが背景画像を構成するため、一様でない背景であることを利用者に容易にわからせるという問題が生ずる。
【００１６】
特許文献４に記載の写真印刷装置では、背景部分と、天井部分および床部分とが同時に写真に写った場合、背景部分には光の模様が映し出されるが、天井面や床面には写し出されないため、撮影された写真画像において両者は異なった質感を醸し出すことになり、背景画像における非一体感や違和感は、依然として解消されないという問題が生ずる。
【００１７】
このように、特許文献１〜４に記載の従来技術では、上方向から見下ろすように撮影しようとすると、背景より下つまり利用者が立っている床が同時に撮影される。また、下方向から見上げるように撮影しようとすると、背景より上つまり利用者の頭上にある天井が同時に撮影される。どちらの場合も、カーテン等の背景が途中で切れて撮影されることになり、写真として出来上がった時の見栄えは良くない。
【００１８】
なお、背景が途中で切れて撮影される状況を解決する手段として、同一色（主に黄緑色）の背景を他の画像に置換して画像合成するクロマキー処理が考えられる。しかし、この手段では、コントラスト等が一様でない場合は置換できない部分が生じ、結果として対話形式で手動による画像修正が必要になるため、面倒である。
【００１９】
さらに、背景が途中で切れて撮影される状況を解決する手段として、何らかの機器、例えば床やカーテンにスクリーン等を使用して背景を作り出すことが可能な機器を用いて、背景を物理的に床や天井にも映し出す方法が考えられる。しかし、この手段では、カーテンを使用して背景だけを変化させる方法ほど容易に実現できないし、また、限られたスペースにたくさんの機器を詰め込むことも難しい。
【００２０】
本発明は上記の問題点に鑑みてなされたものであり、その目的は、多彩なアングルから利用者を撮影した場合であっても、撮影される写真画像の背景部分を一様に表示させ、利用者に対して背景画像の一体感を与えることを可能とする写真撮影プリント装置を提供することにある。
【課題を解決するための手段】
【００２１】
上記の課題を解決するために、本発明に係る写真撮影プリント装置は、背景面と、この背景面と共に撮影空間を形成する少なくとも１つの他の面と、上記撮影空間において様々なアングルから利用者を撮影可能な撮影装置とを備え、この撮影装置によって撮影した写真を印刷する写真撮影プリント装置において、上記他の面の、上記撮影空間を向いた表面領域における、少なくとも上記撮影装置によって撮影可能な範囲が、鏡または光沢のある素材によって形成されていることを特徴としている。
【００２２】
上記の構成によれば、撮影空間を形成する他の面における、少なくとも撮影装置によって撮影可能な範囲に相当する表面領域には、背景面が写し出される。これにより、本装置において撮影装置によって撮影された写真画像では、背景面の画像と、他の面の画像とは、互いに同等の質感を有する画像として表示される。したがって、撮影された写真画像では、背景面と、この背景面に隣接する他の面の画像との間における境界線が、目立たなくなる。
【００２３】
これにより、背景面の画像と、撮影空間を形成する他の面の画像、例えば天井面や床面の画像等とは、撮影装置によって撮影された写真画像において、あたかも一体化された、１つの背景画像であるかのように表示される。すなわち、本装置では、特殊な画像処理等を用いることなく、撮影された写真画像における背景画像に一体感を与えることができる効果を奏する。
【００２４】
なお、本装置では、背景面における、少なくとも撮影装置によって撮影可能な範囲が、他の面と同じく鏡または光沢のある素材によって形成されている場合も、同様の効果を奏する。
【００２５】
また、本発明に係る写真撮影プリント装置では、さらに、上記他の面の、上記撮影空間を向いた全表面領域が、上記鏡または光沢のある素材によって形成されていることが好ましい。
【００２６】
上記の構成によれば、撮影装置の撮影範囲内には、撮影装置の撮影アングルに関わらず、撮影空間を形成する他の面における、反射鏡が形成されている表面領域がほぼ確実に含まれる。これにより、撮影装置のアングルを事前に調整することなく、背景画像に一体感を有する写真画像を撮影できるため、装置を設計する手間を軽減できる効果を奏する。
【００２７】
また、本発明に係る写真撮影プリント装置では、さらに、上記他の面の、上記鏡または光沢のある素材が形成されている部分には、さらに、利用者の写り込みを防止する加工が施されていることが好ましい。
【００２８】
上記の構成によれば、撮影空間を形成する他の面における、反射鏡が形成されている部分では、エンボス加工等の、利用者の写り込みを防止する加工が施されている。これにより、反射鏡に、利用者自身は鮮明に写し出されることなく、背景、とりわけ背景色が鮮明に写し出される。したがって、撮影された写真画像における背景画像の一体感をさらに高めることができる効果を奏する。
【００２９】
また、本発明に係る写真撮影プリント装置では、さらに、上記他の面としての床面における、少なくとも利用者の足場となる部分には、さらに透明かつ耐衝撃特性を有する部材が形成されていることが好ましい。
【００３０】
上記の構成によれば、利用者が大人数で床面に立って撮影し、利用者の重さが床面に負荷されたとしても、透明かつ耐衝撃特性を有する部材が利用者を支えるため、反射鏡に強い負荷が掛からなくなる。これにより、利用者が大人数で本装置を利用しても、床面に形成されている反射鏡が歪んで偏光したり、破損して効果を失ったりすることがなくなる効果を奏する。
【００３１】
また、本発明に係る写真撮影プリント装置では、さらに、上記背景面における上記撮影空間を向いた表面領域は、単一色に着色されていることが好ましい。
【００３２】
上記の構成によれば、例えば白や黒等の単一色に着色された背景面が、反射鏡が形成されている他の面の表面領域に写し出される。したがって、他の面に写し出された像も、背景面と同じく、白や黒に近い一様な質感を有することになる。
【００３３】
これにより、撮影装置によって撮影され写真画像では、まず、単一色に着色された背景面は、その色を有する一様な画像として表示される。さらに、他の面も、この単一色の画像と同等の質感を有した、一様な画像として表示される。それゆえ、撮影された写真画像における背景画像の一体感をさらに高めることができる効果を奏する。
【発明の効果】
【００３４】
以上のように、本発明に係る写真撮影プリント装置は、撮影空間を形成する他の面の、撮影空間を向いた表面領域における、少なくとも撮影装置によって撮影可能な範囲が、鏡または光沢のある素材によって形成されているため、多彩なアングルから利用者を撮影した場合であっても、撮影される写真画像の背景部分を一様に表示させ、利用者に対して背景画像の一体感を与えることを可能にする効果を奏する。
【発明を実施するための最良の形態】
【００３５】
本発明の一実施形態に係る写真撮影プリント装置１について、図１〜図１８を参照して以下に説明する。
【００３６】
本実施形態に係る写真撮影プリント装置１は、利用者の写真を撮影する機能（撮影機能）、撮影した写真に対して落書きなどの編集を利用者に行わせる機能（編集機能）、および編集された画像を印刷する機能（印刷機能）を備えているものである。
【００３７】
（写真撮影プリント装置１の外観的構成）
まず、図１〜図４を参照して、写真撮影プリント装置１の外観について説明する。図１は、本発明の一実施形態に係る写真撮影プリント装置１の全体的な外観の詳細を示す斜視図である。この図によると、写真撮影プリント装置１には、利用者を被写体として撮影する装置本体２と、被写体の背景となる背景カーテン３０が配置されている。装置本体２から背景カーテン３０までの上部は、天井部３１によって形成され、下部は、床部３３によって形成されている。これにより、利用者の写真を撮影する、天井部３１や床部３３等の複数の面に囲まれた撮影空間３が形成される。
【００３８】
また、図１によると、装置本体２の、撮影空間３に向いた面には、カメラユニット１０、カメラレール１６、撮影処理用タッチパネル２０、硬貨投入口２６、硬貨返却口２８が備えられている。
【００３９】
カメラユニット１０は、ＣＣＤカメラ１２およびライブビューパネル１４からなり、利用者を撮影する。カメラユニット１０では、ＣＣＤカメラ１２の直下に小型のライブビューパネル１４が設置される。ＣＣＤカメラ１２およびライブビューパネル１４は、１つに合体され、カメラレール１６上を同時に移動する。ＣＣＤカメラ１２の固定部分には、図示しない駆動装置が取り付けられる。この駆動装置により、カメラユニット１０は、カメラレール１６の上下に渡って、自動または手動で移動する。これにより、ＣＣＤカメラ１２は、カメラレール１６に沿って、上下方向に移動可能となる。したがって、多彩なアングルでのカメラ撮影が可能になる。
【００４０】
ＣＣＤカメラ１２は公知の撮影装置であり、撮影空間３内の利用者を撮影する。このＣＣＤカメラ１２は、上述したように、様々なアングルから利用者を撮影できる。
【００４１】
ライブビューパネル１４は、例えば液晶表示装置などのフラットパネルディスプレイやＣＲＴ（cathode ray tube）から構成されている。このライブビューパネル１４は、撮影時の撮影画面など、いわゆるライブビュー画像を表示する。これにより、カメラユニット１０に向かって撮影ポーズをとる利用者は、ＣＣＤカメラ１２が上下に移動しても、リアルタイムで自身の姿をライブビューパネル１４を通じて視認することができ、自身のポーズを確認しながら、撮影処理を行うことができる。
【００４２】
撮影処理用タッチパネル２０は、例えば液晶表示装置などのフラットパネルディスプレイやＣＲＴ等の表示面にタッチセンサを設けて構成されている。この撮影処理用タッチパネル２０には、撮影処理における各種メッセージや画像などが表示される。具体的には、撮影処理用タッチパネル２０には、デモ画面、オープニング画面、課金処理指示画面、撮影処理における各種操作内容等が表示される。利用者は、この撮影処理用タッチパネル２０の画面の所定場所に触れることによって、写真撮影プリント装置１を操作できる。
【００４３】
硬貨投入口２６は、利用者がプレイ料金として所定金額の硬貨を投入するための投入口である。硬貨返却口２８は、釣り銭が生じた場合や、硬貨が投入された後でリセットされた場合に、硬貨を利用者に対して返却するための返却口である。これらに加えて、装置本体２の内部には、利用者から徴収した硬貨を蓄積する硬貨容器（図示せず）が設けられている。
【００４４】
照明装置２２は、撮影時の照明として機能するとともに、通常時の撮影空間３の照明としても機能する。具体的には、照明装置２２は、撮影時にカメラユニット１０が撮影するライブビューにおける光量、つまり、利用者が撮影の構図やポーズを考えている期間の光量を確保する。それとともに、例えば、「きれいな写真がとれそう」という印象を利用者に与えるといったような、照明による撮影空間の演出を行う。照明装置２２は、装置本体２において、カメラユニット１０の両側に配備される。
【００４５】
スピーカ２４は、利用者に対して各種操作上のガイダンス音声や効果音、ＢＧＭ（back ground music）などを出力する。このスピーカ２４は、装置本体２において、カメラユニット１０の両側に配備される。
【００４６】
背景カーテン３０は、白一色に着色されており、利用者が撮影されている写真画像において、背景部分の一部としてＣＣＤカメラ１２によって写される。なお、背景カーテン３０は、白や黒等の単一の原色に着色されていることが、背景の一体感を向上できるため好ましいが、特にこれに限定されず、模様の付いたものであってもよい。  天井部３１における、撮影空間３を向いた全表面領域には、反射鏡３２が形成されている。この反射鏡３２は、一般的な銀メッキの鏡である。これにより、天井部３１は、隣接する背景カーテン３０等を、光の反射によって、その表面領域に写し出す。したがって、ＣＣＤカメラ１２が、撮影空間３の下方向から利用者を仰ぎ見るように撮影する時、撮影される写真画像の上部に写る天井部３１の質感を、背景カーテン３０のそれと同等にさせることができる。それゆえ、本来であれば写真画像にそのまま写り込んでしまい、背景カーテン３０との一体感が無く違和感を与える天井部３１を、背景の一部に同化させることができる。
【００４７】
なお、反射鏡３２の代わりに、アルミ箔に代表される金属等の、表面に銀メッキの鏡が有する光沢に近い光沢を有する素材を、天井部３１における撮影空間３を向いた表面領域に設けても、同様の効果を得ることができる。また、天井部３１自体を反射鏡３２としてもよい。
【００４８】
また、天井部３１の撮影空間３を向いた表面の全面には、さらに表面に凹凸が形成されたエンボス加工が施されている。これにより、利用者自身の天井部３１における写り込みを少なくでき、撮影された写真画像における背景画像の一体感をさらに向上させることができる。
【００４９】
床部３３における、撮影空間３を向いた全表面領域には、下から順に、反射鏡３４、視野角調整板３６および床補強板３８が形成されている。これらは、例えばコーティングによって床部３３に直接形成されていてもよいし、あるいは互いに重ね合わせるように設けられていてもよい。
【００５０】
反射鏡３４は上述した反射鏡３２と同じく、一般的な銀メッキの鏡である。この反射鏡３４は、隣接する天井部３１等を、光の反射によって、その表面に写し出す。これにより、ＣＣＤカメラ１２を装置本体２の上部に配置させ、撮影空間３の上方向から利用者を見下ろすように撮影した時、撮影された写真画像の下部に写る床部３３の質感を、背景カーテン３０のそれと同等にさせることができる。それゆえ、本来であれば写真画像にそのまま写り込んでしまい、背景カーテン３０との一体感が無く違和感を与える床部３３を、背景の一部に同化させることができる。
【００５１】
また、反射鏡３４の表面には、凹凸模様を付したエンボス加工が施されている。このため、反射鏡３４の表面に利用者自身が鮮明に写し出されることなく、背景、とりわけ背景色が鮮明に写し出される。これにより、撮影された写真画像における背景画像の一体感をさらに高めることができる。なお、このエンボス加工は、写真撮影プリント装置１において、反射鏡３４の反射率が高く、特に利用者自身も鮮明に映し出してしまう場合に施されていることが好ましい。
【００５２】
なお、反射鏡３４の代わりに、アルミ箔に代表される金属等の、光沢のある素材が、床部３３における撮影空間３を向いた表面領域に形成されていても、同様の効果を得ることができる。また、床部３３自体が反射鏡３４であり、その上に視野角調整板３６および床補強板３８が形成されていてもよい。
【００５３】
視野角調整板３６は、反射鏡３４に写される像の視野角を調整する。なお、視野角調整板３６は、写り込み防止加工が施された素材、すなわちルーバー構造でブラインド加工された、可視角度をコントロール可能な素材（偏光板等）であれば、任意のものでよい。これにより、視野角調整板３６のブラインド効果によって、一定角度から床部３３を観察した場合、反射鏡３４に写された反射像を見ることができなくなる。これにより、床部３３における利用者自身の写り込みを少なくできる。また、写真撮影プリント装置１の主な利用者として想定される女子中高生が、スカートを着用した姿で撮影した場合、短いスカート等を着用しても内側が床部３３に写るような問題が生じないため、安心して写真撮影プリント装置１を利用できる。
【００５４】
床補強板３８は、強化プラスチックや強化ガラス等の、透明かつ耐衝撃特性を有する素材からなり、所定の強度（例えば、５人が同時に乗っても壊れない程度の強度）を有する。この床補強板３８を利用者の足場となる部分に設けることによって、写真撮影プリント装置１では、利用者が大人数で床部３３に立って撮影しても、反射鏡３４および視野角調整板３６が歪んで偏光したり、破損して効果を失ったりすることがなくなる。
【００５５】
写真撮影プリント装置１には、図１に示すように、装置本体２の一面に、利用者に編集を行わせる編集空間４が形成される。装置本体２には、この編集空間４側において、編集処理用タッチパネル４０およびタッチペン４２・４２が備えられる。
【００５６】
編集処理用タッチパネル４０は、例えば液晶表示装置などのフラットパネルディスプレイやＣＲＴ等の表示面にタッチセンサを設けて構成されている。この編集処理用タッチパネル４０は、落書きなどの編集処理における各種メッセージや画像などを表示する。具体的には、編集処理用タッチパネル４０は、落書きなどの画像編集処理時における編集対象の画像および各種編集ツールなどを表示する。
【００５７】
編集処理用タッチパネル４０の近傍（図１において編集処理用タッチパネル４０の左右）には、タッチペン４２・４２が備えられている。利用者は、このタッチペン４２・４２を編集処理用タッチパネル４０に接触させることによって、処理の進行に応じて表示されるボタンを選択したり、落書きなどの画像描画を行ったりすることが可能となる。ここで、図１に示すように、装置本体２には、タッチペン４２・４２が、２つ設置されている。これにより、２人の利用者が同時に落書き処理などを入力することができる。
【００５８】
なお、編集処理用タッチパネル４０近傍にスピーカを設けておき、利用者に編集作業の指示等を与える音声を出力できるようになっていると好ましい。また、編集処理用タッチパネル４０近傍に蛍光灯が設けられていると、編集空間４を明るく照らすことができるため好ましい。また、編集空間４には、専用の囲い、例えば、カーテンが設けられていてもよい。このようなカーテンを設けることにより、他人に編集作業を覗かれることがない。そのため利用者は、落ち着いて編集作業を行うことができる。
【００５９】
図２は、写真撮影プリント装置１の装置背面部分を示す斜視図である。この図によると、写真撮影プリント装置１の装置本体２の背面部分には、さらに、印刷空間５が形成される。装置本体２には、この印刷空間５側において、印刷処理用表示パネル５０およびシール紙排出口５３が備えられている。
【００６０】
印刷処理用表示パネル５０は、例えば液晶表示装置などのフラットパネルディスプレイやＣＲＴ等の表示面にタッチセンサを設けて構成されている。この印刷処理用表示パネル５０は、印刷処理を待つ利用者に対して、何らかの情報を表示する。
【００６１】
シール紙排出口５３には、撮影処理および編集処理を終えた後に、後述するプリンタ５４によって印刷されたシール紙が排出される。このプリンタ５４は、装置本体２の内部における印刷空間５側に配置されており、編集作業を終了すると、利用者は、印刷空間５に移動してシール紙を取り出すことになる。
【００６２】
なお、印刷処理用表示パネル５０近傍にもスピーカを設けておき、利用者に事後接客のための音声を出力できるようになっていると好ましい。また、印刷処理用表示パネル５０近傍に蛍光灯が設けられていると、印刷空間５を明るく照らすことができるため好ましい。また、印刷空間５に、専用の囲い、例えば、カーテンが設けられていると好ましい。専用の囲いがあると、他人に印刷処理用表示パネル５０上の画面を覗かれることがないため、利用者は、落ち着いて画面を見たり、印刷空間５での作業を落ち着いて行ったりすることができる。ただし、印刷処理用表示パネル５０は、本発明においては必須の構成ではなく、設けられていなくてもよい。
【００６３】
図３は、写真撮影プリント装置１を上から見た平面図である。この図によると、以上に説明した構成を有する写真撮影プリント装置１では、撮影処理を行う撮影空間３、編集処理を行う編集空間４、および印刷処理を行う印刷空間５が分離されているため、撮影空間３と編集空間４と印刷空間５とにおいて三重に接客でき、利用者の回転率を高めることできる。
【００６４】
なお、写真撮影プリント装置１では、撮影空間３と編集空間４と印刷空間５とが分離されていなくてもかまわない。また、タッチパネルも３カ所にあるが、例えば、１つのタッチパネルで、撮影処理、編集処理、印刷処理における表示が全て行われてもよい。あるいは、２カ所にタッチパネルがあり、撮影処理、編集処理、印刷処理における表示のいずれか２つが同じタッチパネルで行われるようになっていてもよい。
【００６５】
また、写真撮影プリント装置１には、撮影空間３に利用者がいることを撮影空間３の外に向けて表示するためのランプ等が外側に設けられていてもかまわない。また、撮影空間３、編集空間４、印刷空間５に荷物置スペースや荷物掛けフック等が設けられていると、利用者は荷物を視界内に入れることができるので、置き引きを防止することができる。なお、上記設置物の設置位置は特に限定されない。
【００６６】
図４は、写真撮影プリント装置１を横から見た場合の内部構成を示す断面図である。この図によると、カメラユニット１０はカメラレール１６に沿って上下に移動し、例えば、利用者の略正面に位置するカメラ位置６０、利用者を足下から仰ぎ見るカメラ位置６２、および利用者を頭上から見下ろすカメラ位置６４に位置することが可能である。このように、写真撮影プリント装置１では、カメラユニット１０が様々な位置に配置されることによって、様々なアングルから利用者を撮影でき、個性的な写真画像を利用者に提供できる。
【００６７】
ここで、カメラ位置６０に位置するカメラユニット１０が撮影空間３内を撮影すると、図４に示すように、背景部分７０が、撮影される写真画像の背景として表示される。このとき、カメラユニット１０はカメラ位置６０に位置し、利用者を略正面方向から撮影するため、撮影される写真画像には、背景カーテン３０は写るが、天井部３１や床部３３は写し出されない。したがって、写真画像の背景部分は一体的なものとなり、利用者に違和感を与えることがない。
【００６８】
一方、カメラ位置６２に位置するカメラユニット１０が撮影空間３内を撮影すると、図４に示すように、背景部分７２が、撮影された写真画像の背景として表示される。このとき、カメラユニット１０はカメラ位置６２に位置し、利用者を足下から天井部３１に向かって仰ぎ見るように撮影する。それゆえ、撮影される写真画像には、背景部分７２として、背景カーテン３０に加えて、天井部３１の一部が同時に写し出される。
【００６９】
天井部３１は、上述したように、反射鏡３４の作用によって、その表面領域に背景カーテン３０を写し出す。それゆえ、撮影される写真画像における天井部３１の画像は、背景カーテン３０の画像と略同一の質感を有する。これにより、背景カーテン３０と天井部３１とを同時に写しているにも関わらず、背景部分７２は、一体感を与える背景となり、シール紙を手にした利用者に違和感を与えることがない。すなわち、写真撮影プリント装置１では、利用者を仰ぎ見るように撮影した場合であっても、利用者を略正面から撮影した場合と同様に、一体感を有する背景部分を含んだシール紙を利用者に提供できる。また、このような一体感を利用者に与えることによって、あたかも別世界の雰囲気をユーザーに感じさせることになり、アミューズメント性を向上させることができる。
【００７０】
また、カメラ位置６４に位置するカメラユニット１０が撮影空間３内を撮影すると、図４に示すように、背景部分７４が、撮影された写真画像の背景として表示される。このとき、カメラユニット１０はカメラ位置６４に位置し、利用者を頭部から背景に向かって見下ろすように撮影する。それゆえ、撮影される写真画像には、背景部分７４として、背景カーテン３０に加えて、床部３３の一部が同時に写し出される。
【００７１】
床部３３は、上述したように、その表面領域に背景カーテン３０を写し出す。それゆえ、撮影される写真画像における床部３３の画像は、背景カーテン３０の画像と略同一の質感を有する。これにより、背景カーテン３０と床部３３とを同時に写しているにも関わらず、背景部分７４は、一体感を与える背景となり、シール紙を手にした利用者に違和感を与えることがない。すなわち、写真撮影プリント装置１では、利用者を見下ろすように撮影した場合であっても、利用者を略正面から撮影した場合と同様に、一体感を有する背景部分を含んだシール紙を利用者に提供できる。また、このような一体感を利用者に与えることによって、あたかも別世界の雰囲気をユーザーに感じさせることになり、アミューズメント性を向上させることができる。
【００７２】
（写真撮影プリント装置１の機能的説明）
次に、写真撮影プリント装置１の機能的な構成について、図５に示すブロック図を参照しながら説明する。図５は、写真撮影プリント装置１の物理的および電子的構成の詳細を示すブロック図である。この図によると、写真撮影プリント装置１は、前記したＣＣＤカメラ１２、ライブビューパネル１４、照明装置２２、スピーカ２４、撮影処理用タッチパネル２０、編集処理用タッチパネル４０、および印刷処理用表示パネル５０に加えて、制御部８０、記憶装置９０、およびプリンタ５４を備えている。
【００７３】
制御部８０は、課金処理部８２、撮影処理部８４、画像処理部８６、および印刷処理部８８を備え、写真撮影プリント装置１内における上述した各種構成の動作を統括的に制御する。
【００７４】
課金処理部８２は、硬貨投入口２６からの代金投入、および硬貨返却口２８への返却処理などを制御するものであり、利用者から徴収する課金に関する処理を行う。課金処理部８２による課金状況に応じて、制御部８０が、該当利用者に対する動作を制御する。
【００７５】
撮影処理部８４は、撮影空間３において撮影処理が行われる際の制御を行う。例えば、撮影処理部８４は、撮影処理における各種メッセージや、カメラユニット１０のライブビューパネル１４によって撮影されているライブビュー画像などを、撮影処理用タッチパネル２０に表示させる。また、撮影処理用タッチパネル２０からの利用者による入力指示に従って各種撮影設定を行ったり、撮影指示に従って撮影画像データを取得したり、この撮影画像データを記憶装置９０に記憶させたりする。さらに、撮影処理時に、照明装置２２およびスピーカ２４に対して指示を行う。
【００７６】
画像処理部８６は、写真撮影プリント装置１において撮影処理が行われた後に、撮影画像に対して落書きなどの編集処理が行われる際の制御を担当する。具体的に説明すると、画像処理部８６は、撮影画像データを記憶装置９０から読み出すとともに、これを編集処理用タッチパネル４０に表示させ、利用者による入力指示に従って画像編集処理を行う。さらに、編集処理が終了した後に、編集処理済画像データを記憶装置９０に記憶させる。
【００７７】
印刷処理部８８は、編集処理が終了した後に、記憶装置９０から編集処理済画像データを読み出し、プリンタ５４へと出力する。
【００７８】
プリンタ５４は、出力すべき画像データが制御部８０から送られてくると、その画像データに基づいてシール紙に印刷を行い、シール紙排出口５３を通じて装置本体２から排出させる。このプリンタ５４として、例えば昇華型プリンタを用いる。なお、この場合、シール紙に加えて、昇華型用インクフィルムがセットとなって、プリンタ５４に格納される。
【００７９】
（処理の流れ）
写真撮影プリント装置１が、利用者の指示によって利用者を撮影し、撮影した画像をシール紙として排出して、最終的に利用者に受け取らせるまでの一連の処理の流れを、図６〜図１７を参照して以下に説明する。
【００８０】
まず、撮影処理に関して、図６、および図９〜図１４を参照して説明する。
【００８１】
図６は、写真撮影プリント装置１における撮影処理の開始から編集処理の開始に至るまでの処理の流れの一例を示すフローチャートである。図９は、ＣＣＤカメラ１２の上げ下げの選択を利用者に求める画面を表す図である。
【００８２】
図６によると、課金処理部８２が、まず、硬貨が硬貨投入口２６を通じて装置本体２に投入されたことを確認する（ステップＳ１１）。次に、撮影処理部８４が、撮影処理用タッチパネル２０に、ＣＣＤカメラ１２の位置の調整を利用者に求める画面を表示させる（ステップＳ１２）。
【００８３】
ここで、図９に示すように、利用者が、上げるボタン１１２や下げるボタン１１３を押下すると、ＣＣＤカメラ１２がカメラレール１６に沿って上下に移動する（ステップＳ１３）。例えば、利用者が、上げるボタン１１２を押下すると、ＣＣＤカメラ１２は装置本体２の上方に移動し、カメラ画像１０１もカメラ画像１０５側に移動する。一方、下げるボタン１１３を押下すると、ＣＣＤカメラ１２は装置本体２の下方に移動し、カメラ画像１０１もカメラ画像１０６側に移動する。
０  次に、撮影処理部８４は、ＣＣＤカメラ１２の位置が確定された否かを確認する（ステップＳ１４）。ここで、ＣＣＤカメラ１２の位置は確定されていない、すなわち利用者が未だ、次へボタン１０７を押下していないと、撮影処理部８４が判定した場合（ＮＯ）、処理はステップＳ１２に戻って、撮影処理部８４は、再び、撮影処理用タッチパネル２０に、ＣＣＤカメラ１２の位置の調整を利用者に求める画面を表示させる。一方、ＣＣＤカメラ１２の位置は確定された、すなわち利用者が、次へボタン１０７を押下した撮影処理部８４と判定した場合（ＹＥＳ）、撮影処理部８４はＣＣＤカメラ１２にコマンド信号を送信し、利用者を撮影させる（ステップＳ１５）。
【００８４】
この後、撮影処理部８４は、ＣＣＤカメラ１２から送られて来た画像データを一時的に記憶装置９０に保存し、かつ、この画像データが表す画像を、撮影処理用タッチパネル２０に表示させる（ステップＳ１６）。これにより、編集処理用タッチパネル４０には、図１０に示す画面が表示される。
【００８５】
図１０は、写真撮影プリント装置１において撮影した写真画像の保存または消去の選択を利用者に求める画面の一例を表す図である。この図によると、この段階において、撮影処理用タッチパネル２０には、利用者および背景カーテン３０を写した撮影画像１１１が画面中央に、さらに保存ボタン１１２および消去ボタン１１３がそれぞれ、撮影画像１１１の下部に表示される。ここで、利用者が保存ボタン１１２を押下すると、画像データは記憶装置９０において確定データとして保存される。一方、利用者が消去ボタン１１３を押下すると、この写真画像を表す画像データは記憶装置９０から消去される。
【００８６】
すなわち、図１０に示す画面が撮影処理用タッチパネル２０に表示されているとき、撮影処理部８４は、写真画像が保存されたか否かを確認する（ステップＳ１７）。ここで、撮影処理部８４は、利用者が消去ボタン１１３を押下したと判定した場合（ＮＯ）、記憶装置９０上の画像データを破棄し、次に、現在、撮影可能な制限時間（ここでは１８０秒）以内であるか否かを確認する。（ステップＳ１８）。
【００８７】
ここで、ステップＳ１８における判定結果が「真」である場合（ＹＥＳ）、処理はステップＳ１５に戻って、再び、利用者の操作に応じて、ＣＣＤカメラ１２が利用者を撮影する。一方、ステップＳ１８における判定結果が「偽」である場合（ＮＯ）、撮影処理は終了し、続いて、写真撮影プリント装置１における処理は、編集処理に移行する。
【００８８】
また、ステップＳ１７において、撮影処理部８４は、利用者が保存ボタン１１２を押下したと判定した場合（ＹＥＳ）、画像データを確定データとして記憶装置９０に保存する。撮影処理部８４は、次に、現在、撮影可能な制限時間（ここでは１８０秒）以内であり、かつ、撮影した写真の枚数が制限枚数（ここでは６枚）以内であるか否かを確認する（ステップＳ１９）。ここで、ステップＳ１９における判定結果が「真」である場合（ＹＥＳ）、処理はステップＳ１５に戻って、再び、利用者の操作に応じて、ＣＣＤカメラ１２が利用者を撮影する。一方、ステップＳ１９における判定結果が「偽」である場合（ＮＯ）、撮影処理は終了し、続いて、写真撮影プリント装置１における処理は、編集処理に移行する。
【００８９】
撮影処理において撮影処理用タッチパネル２０に表示される画面の他の例を、図１１を参照して説明する。図１１は、写真撮影プリント装置１において撮影した写真画像の保存または消去の選択を利用者に求める画面の他の例を表す図である。
【００９０】
この図に示すように、写真撮影プリント装置１では、撮影画像１２１の一部を、点線で示す切り取り画像１２４とし、これを切り取る画像処理を行って、利用者に提供するシール紙に写し出される画像とする。すなわち、写真撮影プリント装置１では、撮影用のＣＣＤカメラ１２を上下に稼働させた場合、写真の左右に写ると想定される、利用者用の入り口や空間を仕切るためのカーテン等は、撮影後に内蔵プログラムにより自動的に画像処理によって映し出さないようにする。なお、この処理は、予めＣＣＤカメラ１２のフォーカスや位置を調整することにより、写し出したくない範囲を物理的に撮影しないようにし、利用者が確認する段階の画像には映し出されないようにすればよい。
【００９１】
図１１に示す画面では、撮影画像１２１において、利用者の画像に加えて、背景カーテン３０を写し出した背景カーテン画像１２５、および床部３３を写し出した床画像１２６が表示されている。ここで、上述したように、床部３３には反射鏡３４が形成され、光の反射によって背景カーテン３０を写し出す。したがって、図１１に示すように、床画像１２６は、背景カーテン３０が床部３３の表面領域に映し出された画像となり、その結果、背景カーテン画像１２５と質的に同等となる。これにより、背景カーテン画像１２５と床画像１２６とは、あたかも一体化された一つの背景画像であるかのように、撮影画像１２１において表示される。これにより、これらの異なる部分を写し出された、背景に一体感を感じる写真画像を利用者が入手できるため、顧客満足度が向上する。
【００９２】
一方、床部３３に対して写真撮影プリント装置１のような工夫を施さないと、背景画像には上述したような一体感が生じない。例えば、床部３３の表面領域を、光沢を有さず、表面に反射像を写し出さない通常の素材によって形成した場合、図１２に示すように、撮影された撮影画像１３１には、背景カーテン３０を写し出す背景画像１３５と、明らかに背景画像１３５とは質感の異なる、床画像１３６が表示される。したがって、背景画像１３５と床画像１３６とからなる背景部分に一体感が生じない。さらに、この写真画像は明らかに写真画像プリント装置において撮影されたものであることが、利用者には容易に理解できる。これらのことから、顧客満足度が低下する。
【００９３】
撮影処理において撮影処理用タッチパネル２０に表示される画面のさらに他の例を、図１３を参照して説明する。図１３は、写真撮影プリント装置１において撮影した写真画像の保存または消去の選択を利用者に求める画面のさらに別の例を表す図である。
【００９４】
図１３に示す画面では、撮影画像１４１において、利用者の画像に加えて、背景カーテン３０を写し出した背景画像１４５、および天井部３１を写し出した床画像１４６が表示されている。ここで、上述したように、天井部３１の表面領域には反射鏡３２が形成され、光の反射によって背景カーテン３０を写し出す。したがって、図１３に示すように、床画像１４６は、背景カーテン３０が天井部３１の表面領域に映し出された画像となり、その結果、背景画像１４５と質的に同等となる。これにより、背景画像１４５と床画像１４６とは、あたかも一体化された一つの背景であるかのように、撮影画像１４１において表示される。これにより、これらの異なる部分が写し出された、背景に一体感を感じる写真画像を利用者が入手できるため、顧客満足度が向上する。
【００９５】
一方、天井部３１に対して写真撮影プリント装置１のような工夫を施さないと、背景画像には上述したような一体感が生じない。例えば、天井部３１の表面領域に、反射鏡３２のようなコーティングを施さず、表面に何も写し出さないようにした場合、図１４に示すように、撮影された撮影画像１５１には、背景カーテン３０を写し出す背景画像１５５と、明らかに背景画像１５５とは質感の異なる、床画像１５６が表示される。したがって、背景画像１５５および床画像１５６からなる背景部分に一体感が生じない。さらに、この写真画像は明らかに写真画像プリント装置において撮影されたものであることが、利用者には容易に理解できる。したがって、顧客満足度が低下する。
【００９６】
このように、写真撮影プリント装置１では、撮影用のＣＣＤカメラ１２を上下に稼働させ、撮影可能な一定の上下角度にカメラアングルを自動または手動で変化させても、床部３３や天井部３１がその表面に背景カーテン３０を写し出すため、背景カーテン３０によって作り出された背景が、写真画像の途中で切れて撮影されることがない。換言すると、写真撮影プリント装置１では、撮影される写真画像において擬似的にホリゾンタル（水平線）効果が生じ、背景カーテン３０の質感を天井部３１や床部３３にも反映させ、写真画像の見栄えを良くすることができる。また、特殊な画像合成処理（クロマキー処理）をプログラムに組み、背景を演出する特殊な装置を設置しなくても、床部３３や天井部３１にもカーテンを使用する工夫と同じくらい容易に、一体感を有する背景を作り出すことができる。したがって、コスト的に非常に安価に納まる写真撮影プリント装置１を提供できる。
【００９７】
また、上述したように、背景カーテン３０の撮影空間３を向いた表面領域は、単一の白色に着色されている。これにより、ＣＣＤカメラ１２によって撮影される写真画像では、まず、単一色に着色された背景カーテン３０（１つの面）は、その色を有する画像として表示され、撮影空間３を形成する他の面、すなわち天井部３１や床部３３は、この単一色の画像と同等の質感を有して表示される。それゆえ、撮影された写真画像における背景画像の一体感をさらに高めることができる。
【００９８】
続いて、写真撮影プリント装置１における編集処理に関して、図７および図１５を参照して説明する。
【００９９】
図７は、写真撮影プリント装置１における編集処理の開始から印刷処理の開始に至るまでの処理の流れの一例を示すフローチャートである。図７によると、編集処理の開始後、まず、画像処理部８６が、編集処理用タッチパネル４０に、図１５に示す画像編集画面を表示させる（ステップＳ２１）。図１５は、写真撮影プリント装置１において撮影した写真画像編集を利用者に求める画面を表す図である。この図によると、この画像には、撮影画像１６１、ペンツールＰ１〜Ｐ５、フレームツールＦ１〜Ｆ５、スタンプツールＳ１〜Ｓ６、書体ツールＴ１〜Ｔ５、カラーツールＣ１〜Ｆ８、および次へボタン１６２が表示されている。
【０１００】
ここで、利用者は、編集処理用タッチパネル４０において、付属のタッチペン４２・４２を用いてこれらの編集（落書き）ツールを選択し、撮影画像１６１を落書きする。これにより、画像処理部８６は、利用者の編集内容を受け付け（ステップＳ２２）、編集内容を記憶装置９０に保存する（ステップＳ２３）。ここで、ステップＳ２３のあと、画像処理部８６は、現在、落書き可能な制限時間（ここでは１８０秒）以内であるか否かを判定する（ステップＳ２４）。ここで、ステップＳ２４における判定結果が「真」である場合（ＹＥＳ）、処理はステップＳ２２に戻って、再び利用者が撮影画像１６１を編集（落書き）する。一方、ステップＳ２４における判定結果が「偽」である場合（ＮＯ）、編集処理は終了し、写真撮影プリント装置１における処理は、印刷処理へと移行する。
【０１０１】
写真撮影プリント装置１における処理の最後となる印刷処理に関して、図８、図１６、および図１７を参照して説明する。
【０１０２】
図８は、写真撮影プリント装置１における印刷処理の流れの一例を示すフローチャートである。図８によると、印刷処理の開始後、印刷処理部８８が、印刷処理用表示パネル５０に対して、図１６に示す、シール印刷画像選択画面を表示させる（ステップＳ３１）。図１６は、写真撮影プリント装置１において撮影した写真画像のうち、いずれを印刷対象とするのかを利用者に求める画面を表す図である。図１６に示す画面が印刷処理用表示パネル５０に表示されているとき、利用者は、画面の所定場所に触れる等して、撮影画像１７１〜１７６の中から、シール紙に印刷する画像を１つ選択する。
【０１０３】
このとき、印刷処理部８８は、利用者が選択した画像を確認し（ステップＳ３２）、次に、図１７に示すシール分割枚数選択画面を、印刷処理用表示パネル５０に表示させる（ステップＳ３４）。図１７は、写真撮影プリント装置１において撮影した画像を、いずれの分割パターンによって印刷するのかを利用者に求める画面を表す図である。図１７に示す画面が印刷処理用表示パネル５０に表示されているとき、利用者は、分割パターン１８１〜１８４に示す、異なる４つのシール分割パターンの中から、１つ、好みのパターンを選択する。さらに、利用者は、印刷ボタン１８５を押下する。この選択を確認すると（ステップＳ３４）、印刷処理部８８は、利用者が選択した画像を表す画像データをプリンタ５４へと出力し、プリンタ５４にシール紙を印刷させる（ステップＳ３５）。これにより、印刷されたシール紙は、シール紙排出口５３から排出される（ステップＳ３６）。
【０１０４】
以上に説明したように、写真撮影プリント装置１は、様々なアングルから利用者を撮影し、撮影された写真画像において背景カーテン３０に加えて天井部３１や床部３３が写し出されたとしても、特殊な画像処理を何ら行うことなく、背景が一体感を有して表示されるシール紙を利用者に提供できる。
【０１０５】
なお、写真撮影プリント装置１では、天井部３１の全部ではなくその一部に反射鏡３２を形成してもよい。同様に、床部３３の全部ではなくその一部に反射鏡３４や視野角調整板３６を形成してもよい。そこで、これらの例について、図１８を参照して説明する。
【０１０６】
図１８は、写真撮影プリント装置１を横から観察した場合の他の内部構成を示す断面図である。この図に示す写真撮影プリント装置１では、天井部３１の撮影空間３を向いた表面領域の一部に、反射鏡３２が形成される。一方、天井部３１の残りの部分は、光を反射しない素材からなる非反射天井素材９２によって形成される。ここで、反射鏡３２は、天井部３１の撮影空間３を向いた表面領域における、ＣＣＤカメラ１２が撮影可能な範囲内の領域に形成される。具体的に説明すると、図１８に示す例では、反射鏡３２は、天井部３１の、カメラ位置６２に位置するＣＣＤカメラ１２によって撮影可能な、最大限の範囲において形成される。一方、天井部３１におけるＣＣＤカメラ１２の撮影可能範囲外、すなわちＣＣＤカメラ１２の死角になる部分は、非反射天井素材９２によって形成される。このように、天井部３１において必要な部分のみが反射鏡３２によって形成されるため、より安価なコストで天井部３１を形成できる。
【０１０７】
また、図１８に示すように、床部３３の一部に反射鏡３４および視野角調整板３６が形成され、残りの部分は、光を反射しない通常の素材からなる非反射床素材９４によって形成される。ここで、反射鏡３４および視野角調整板３６は、カメラ位置６４に位置するＣＣＤカメラ１２が撮影可能な範囲内に形成される。一方、ＣＣＤカメラ１２の撮影範囲外、すなわちＣＣＤカメラ１２の死角になる部分は、非反射床素材９４によって形成される。これにより、床部３３において必要な部分のみが反射鏡３４および視野角調整板３６によって形成されるため、より安価なコストで床部３３を形成できる。なお、利用者はＣＣＤカメラ１２によって撮影可能な範囲外の床部３３にも乗ることが考えられる。そのため、床補強板３８は床部３３の一部ではなく、全面に設置されることが好ましい。
【０１０８】
このように、図１８に示す写真撮影プリント装置１では、上下方向に移動可能なＣＣＤカメラ１２が撮影可能な範囲内に相当する、天井部３１や床部３３の表面領域の一部に、反射鏡３２や反射鏡３４が形成される。一方、残りの部分は、非反射天井素材９２や非反射床素材９４が形成される。これにより、天井部３１や床部３３の全面に反射鏡３２や反射鏡３４を形成しなくても、背景画像に一体感を生じさせることができるため、コストを安価にすることができる。
【０１０９】
なお、写真撮影プリント装置１では、天井部３１や床部３３に加えて、さらに、撮影空間３を形成する側面の、撮影空間３を向いた表面領域に、上述した鏡または光沢のある素材を形成してもよい。このようにすれば、ＣＣＤカメラ１２をズームアップして利用者を撮影したり、あるいはパノラマで撮影したりして、撮影される写真画像に側面の画像が含まれても、背景カーテン３０の画像との一体感を得ることを可能にする。また、このような一体感を利用者に与えることによって、あたかも別世界の雰囲気をユーザーに感じさせることになり、アミューズメント性を向上させることができる。
【０１１０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１１】
本発明は、例えば、ゲームセンターなどの娯楽施設や遊戯施設において、利用者の写真撮影を行うとともに、その写真を複数枚のシートに印刷して出力する写真撮影プリント装置一般に利用することができる。
【図面の簡単な説明】
【０１１２】
【図１】本発明の一実施形態に係る写真撮影プリント装置の全体的な外観の詳細を示す斜視図である。
【図２】写真撮影プリント装置の装置背面部分を示す斜視図である。
【図３】写真撮影プリント装置を上から見た平面図である。
【図４】写真撮影プリント装置を横から見た場合の内部構成を示す断面図である。
【図５】写真撮影プリント装置の物理的および電子的構成の詳細を示すブロック図である。
【図６】写真撮影プリント装置における撮影処理の開始から編集処理の開始に至るまでの処理の流れの一例を示すフローチャートである。
【図７】写真撮影プリント装置における編集処理の開始から印刷処理の開始に至るまでの処理の流れの一例を示すフローチャートである。
【図８】写真撮影プリント装置における印刷処理の流れの一例を示すフローチャートである。
【図９】撮影装置の上げ下げの選択を利用者に求める画面を表す図である。
【図１０】写真撮影プリント装置において撮影した写真画像の保存または消去の選択を利用者に求める画面の一例を表す図である。
【図１１】写真撮影プリント装置において撮影した写真画像の保存または消去の選択を利用者に求める画面の他の例を表す図である。
【図１２】従来技術において撮影した写真画像の保存または消去の選択を利用者に求める画面の一例を表す図である。
【図１３】写真撮影プリント装置において撮影した写真画像の保存または消去の選択を利用者に求める画面のさらに別の例を表す図である。
【図１４】従来技術において撮影した写真画像の保存または消去の選択を利用者に求める画面の他の例を表す図である。
【図１５】写真撮影プリント装置において撮影した写真画像編集を利用者に求める画面を表す図である。
【図１６】写真撮影プリント装置において撮影した写真画像のうち、いずれを印刷対象とするのかを利用者に求める画面を表す図である。
【図１７】写真撮影プリント装置において撮影した画像を、いずれの分割パターンによって印刷するのかを利用者に求める画面を表す図である。
【図１８】写真撮影プリント装置を横から観察した場合の他の内部構成を示す断面図である。
【符号の説明】
【０１１３】
１    写真撮影プリント装置
２    装置本体
３    撮影空間
４    編集空間
５    印刷空間
１０  カメラユニット
１２  ＣＣＤカメラ
１４  ライブビューパネル
１６  カメラレール
２４  スピーカ
２６  硬貨投入口
２８  硬貨返却口
３０  背景カーテン
３１  天井部
３２  反射鏡
３３  床部
３４  反射鏡
３６  視野角調整板
３８  床補強板
【図１】
2006003652.tif 000003
【図２】
2006003652.tif 000004
【図３】
2006003652.tif 000005
【図４】
2006003652.tif 000006
【図５】
2006003652.tif 000007
【図６】
2006003652.tif 000008
【図７】
2006003652.tif 000009
【図８】
2006003652.tif 000010
【図９】
2006003652.tif 000011
【図１０】
2006003652.tif 000012
【図１１】
2006003652.tif 000013
【図１２】
2006003652.tif 000014
【図１３】
2006003652.tif 000015
【図１４】
2006003652.tif 000016
【図１５】
2006003652.tif 000017
【図１６】
2006003652.tif 000018
【図１７】
2006003652.tif 000019
【図１８】
2006003652.tif 000020